(57)【要約】【課題】ラチェット式の伸縮杖でありながら、外パイプの穴は常にボタンにより塞がれるようにするとともに、外パイプに不要な穴を開けないようにし、係合穴からパイプ内にゴミや埃が入るのを防ぐとともに、多数の係合穴がパイプに施した装飾の邪魔とならないようにする。【解決手段】外パイプとその外パイプ内を摺動する内パイプにより伸縮可能とした杖において、内パイプに所望間隔でパイプ内からパイプ外にバネの力により出没可能なボタンをパイプ長手方向に複数配設するとともに、外パイプに一個のみ前記内パイプのボタンと係合する係合穴を形成し、また内パイプのボタンを配設した箇所の内パイプの外周に目印となるライン又は（及び）記号を付した。【選択図】  図１
2008054896.tif 000002
【特許請求の範囲】
【請求項１】
外パイプとその外パイプ内を摺動する内パイプにより伸縮可能とした杖において、内パイプに所望間隔でパイプ内からパイプ外にバネの力により出没可能なボタンをパイプ長手方向に複数配設するとともに、外パイプに一個のみ前記内パイプのボタンと係合する係合穴を形成したことを特徴とするラチェット式伸縮杖。
【請求項２】
内パイプのボタンを配設した箇所の内パイプの外周に目印となるライン又は（及び）記号を付した請求項１記載のラチェット式伸縮杖。
【請求項３】
内パイプに配設したボタンは、相隣接するボタンが円周方向で反対位置となるようにした請求項２記載のラチェット式伸縮杖。
【発明の詳細な説明】
【技術分野】
【０００１】
この発明は、長さ調整が可能な伸縮式の杖に関するものであり、特に内パイプと外パイプの固定を内パイプに設けた出没可能なボタンを使用するラチェット式に関するものである。
【背景技術】
【０００２】
従来、出没可能なボタンを使用したラチェット式の伸縮杖においては、図８に示すように外パイプＡに多数の係合穴Ｂを形成し、内パイプＣには出没可能なボタンＤを一個配設し、内パイプＣのボタンＤを外パイプＡの任意位置の係合穴Ｂに係合させるようにして杖の長さを調整している。
【発明の開示】
【発明が解決しようとする課題】
【０００３】
従来の外パイプに多数の係合穴を形成したものの場合、使用していない穴（ボタンが係合していない穴）からゴミや埃が入り、これが内パイプと外パイプの間に入り込んでしまい、結果として内パイプに傷がついたり内パイプのスムーズな摺動の妨げとなっている。
【０００４】
また、最近の杖はパイプの外側に各種装飾を施したものがあり、このようなものの場合外パイプに多数の穴が開けられていると、せっかくの装飾の邪魔をすることにもなっている。
【０００５】
すなわち、ラチェット式の伸縮杖でありながら、外パイプの穴は常にボタンにより塞がれるようにするとともに、外パイプに不要な穴を開けないようにできれば上記課題が解決できるとともに、表面がシンプルなものとなる。
【課題を解決するための手段】
【０００６】
そこでこの発明に係るラチェット式伸縮杖は上記課題を解決するために、外パイプとその外パイプ内を摺動する内パイプにより伸縮可能とした杖において、内パイプに所望間隔でパイプ内からパイプ外にバネの力により出没可能なボタンをパイプ長手方向に複数配設するとともに、外パイプに一個のみ前記内パイプのボタンと係合する係合穴を形成した（請求項１）ものである。
【０００７】
さらに、内パイプのボタンを配設した箇所の内パイプの外周に目印となるライン又は（及び）記号を付した（請求項２）ものである。
【０００８】
また上記に加え、内パイプに配設したボタンは、相隣接するボタンが円周方向で反対位置となるようにした（請求項３）ものである。
【発明の効果】
【０００９】
外パイプには係合穴を一個しか形成せず、しかもこの穴は常時ボタンと係合することにより塞がれているので、この穴からパイプ内にゴミや埃が入ることがない。また、外パイプには係合穴が一個しかないので、外パイプの装飾を阻害することがなく、杖の外観をシンプルなものにできる。
【発明を実施するための最良の形態】
【００１０】
内パイプに所望間隔でパイプ内からパイプ外にバネの力により出没可能なボタンをパイプ長手方向に複数配設する。一方、外パイプには一個のみ前記した内パイプのボタンと係合する係合穴を形成する。また内パイプのボタンを配設した箇所の内パイプの外周には、ボタン位置を示す目印となるようにラインや記号を付しておく。
【実施例１】
【００１１】
次に、本発明に係るラチェット式伸縮杖の一実施例を図１〜図３に基づいて説明する。内パイプ１は外パイプ２に対して摺動可能となっていてストッパー３を緩めることにより杖の長さが調整可能なところは従来のものと同じであるので詳しい説明は省略する。
【００１２】
内パイプ１には図２に示すようにパイプ長手方向に所望間隔でパイプ内からパイプ外にバネ４の力により出没可能なボタン５が複数配設してある。図示した例ではボタン５の数は四個としてあるが、いくつでもよい。また、外パイプ２には一個のみ前記した内パイプ１のボタン５と係合する係合穴６が形成してある。なお、ボタン５やバネ４は従来のものとその構造は格別変わるものではなく、バネとしては図示したもののほか板バネやコイルスプリング等でもよい。
【００１３】
また、場合によってはボタン５の位置を探し易くするために図７に示すように、内パイプ１のボタン５を配設した箇所の内パイプ１の外周には、ボタン位置を示す目印となるようにライン７や記号８を付しておく。ライン７や記号８をボタン５ごとに変えておくと、何番目のボタン５が外パイプの係合穴６と係合しているのかが分かり易くなる。また、図２に示すようにボタン５を直線状に配した場合は各ボタン５を結ぶような直線のラインを付しておいてもよい。
【００１４】
そして、図３に示すように内パイプ１を外パイプ２に挿入し、任意のボタン５を外パイプ２の係合穴６と係合させる。すると、この位置において内パイプ１は外パイプ２に固定される。また、他の係合していないボタン５は内パイプ１内に引っ込み、外パイプ１の内周に対しバネ４の力により押しつけられた状態となり、内パイプ１が外パイプ２に対してがたつくのを防ぐ役割もする。
【実施例２】
【００１５】
基本的には上記実施例１と同じであるが、本実施例は図４〜図７に示すようにボタン５は、相隣接するボタン５がパイプ円周方向で反対位置となるようにしてある。
【００１６】
ボタン５を上記実施例１のように片側に一列に設けると、ボタン５が片側にのみあるためバネ４の力でボタン５が外パイプ２の内周を強く押すことにより、場合によってはボタン５と反対側の位置の内パイプ１の外周が外パイプ２の内周と擦れることにより、内パイプ１の外周に傷がつくとともに伸縮操作も固くなることがあるからである。内パイプ１の両側にボタン５を設けるようにしておくと、内パイプ１の外周が外パイプ２の内周と擦れることが防止できることになる。
【００１７】
また、内パイプ１のスライド時にボタン５の配設位置が認識できるようにするために、図７に示すようにライン７や記号８（図示した例ではボタンの位置を示す数字）を内パイプの表面に付しておく。そうすると、図６に示すように内パイプ１スライド時に係合穴６からライン７や記号８が見えることによりボタン５の位置を容易に見つけ出すことができる。
【産業上の利用可能性】
【００１８】
従来のラチェット式伸縮杖と同等以上の操作性を確保しつつ、ゴミや埃の侵入防止と外観のシンプル化を可能とすることができる。そして、このような伸縮性を要するものについては、杖に限らず他のものについても応用可能である。
【図面の簡単な説明】
【００１９】
【図１】本発明のラチェット式伸縮杖の一例を示した斜視図である。
【図２】本発明の内パイプのボタン構造を示す断面図である。
【図３】図２の内パイプと外パイプの係合状態を示す断面図である。
【図４】本発明の内パイプのボタン構造の他例を示す断面図である。
【図５】図４の内パイプと外パイプの係合状態を示す断面図である。
【図６】外パイプの穴から内パイプの記号を見た状態を示す正面図である。
【図７】内パイプのボタン配設箇所付近の正面図である。
【図８】従来のラチェット式伸縮杖の一例を示した斜視図である。
【符号の説明】
【００２０】
１  内パイプ
２  外パイプ
３  ストッパー
４  バネ
５  ボタン
６  係合穴
７  ライン
８  記号
Ａ  外パイプ
Ｂ  係合穴
Ｃ  内パイプ
Ｄ  ボタン
【図１】
2008054896.tif 000003
【図２】
2008054896.tif 000004
【図３】
2008054896.tif 000005
【図４】
2008054896.tif 000006
【図５】
2008054896.tif 000007
【図６】
2008054896.tif 000008
【図７】
2008054896.tif 000009
【図８】
2008054896.tif 000010